(57)【特許請求の範囲】
【請求項１】
燻煙剤が充填された発熱体充填容器を、周囲に空隙をあけて収容保持する外装容器において、
発熱体充填容器の底面下に空隙をあけて当該発熱体充填容器の下部を支持する支持部を有し、有底筒状をなす収納容器部と、中央部に開口部を有し、発熱体充填容器の上部周縁を係止して支持部との間に発熱体充填容器を挟持する係止部を開口部付近に有する上蓋部とから構成されていて、
収納容器部と上蓋部が相互に着脱可能で、しかも上蓋部を外した収納容器部の上部から発熱体充填容器を収納容器部内に挿入可能であることを特徴とする発熱体充填容器の分離型外装容器。
【請求項２】
燻煙剤が充填された発熱体充填容器を、周囲に空隙をあけて収容保持する外装容器において、
発熱体充填容器の下部を支持する支持部を有する底蓋部と、上端が開口部となった筒状をなし、発熱体充填容器の上部を係止して支持部との間に発熱体充填容器を挟持する係止部を開口部付近に有する胴部とから構成されていて、底蓋部と胴部が相互に着脱可能で、しかも底蓋部を外した胴部の下部から発熱体充填容器を胴部内に挿入可能であることを特徴とする発熱体充填容器の分離型外装容器。
【請求項３】
収納保持される発熱体充填容器が、容器本体の外周に断熱筒が嵌め込まれたもので、係止部が断熱筒の上端部を係止するもので、しかも支持部が、発熱体充填容器の下部を支持する環状突出部であることを特徴とする請求項１又は２の発熱体充填容器の分離型外装容器。
【請求項４】
収容保持される発熱体充填容器の断熱筒の下端が容器本体の底面より下方に突出したもので、支持部が、容器本体より下方に突出した断熱筒の下部が嵌め込まれた状態で発熱体充填容器を支持する環状突出部であることを特徴とする請求項３の発熱体充填容器の分離型外装容器。
【請求項５】
支持部が、容器本体の底面に達しない高さであることを特徴とする請求項４の発熱体充填容器の分離型外装容器。
【請求項６】
収納保持される発熱体充填容器が、容器本体の外周に断熱筒が嵌め込まれたもので、係止部が断熱筒の上端部を係止するもので、しかも支持部が、発熱体充填容器の下部周縁部を支持する段部であることを特徴とする請求項１又は２の発熱体充填容器の分離型外装容器。
【発明の詳細な説明】
【０００１】
【発明の属する技術分野】
本発明は、例えば発熱に伴って殺虫成分を蒸散時させる燻煙剤を充填した容器のように、使用時に発熱する発熱体充填容器の更にその外側に設けられるもので、発熱体充填容器を周囲に空隙をあけて覆うことで、使用時の熱が外部に伝わるのを抑制し、使用時の安全性を高めるための外装容器に関する。
【０００２】
【従来の技術】
従来、発熱体充填容器を周囲に空隙をもって収容する外装容器としては、上端が開口部となった単なる容器状をなすもので、周縁部に外方に突き出た鍔部を設けた発熱体充填容器を、その鍔部を外装容器の開口部の縁部に対して密着あるいは着脱自在に嵌合させることで、いわば中吊り状態で保持するものが知られている（実開昭５７−５９５７９号公報）。
【０００３】
【発明が解決しようとする課題】
ところで、燻煙剤が充填された発熱体充填容器は重いので、輸送中の振動や落下等によってずれたり外れたりしないよう、外装容器内にしっかり保持されていることが必要となる。また、発熱体充填容器は、内部に燻煙剤の薬剤が充填されていることから、使用後のリサイクル利用は困難である一方、外装容器は、合成樹脂製の場合でも金属製の場合でも、発熱体充填容器と分離廃棄すればリサイクル利用が可能である。従って、外装容器と発熱体充填容器とが容易に分離できることが望まれている。
【０００４】
しかしながら、上記従来の外装容器は、中吊り状態で発熱体充填容器を保持するものであることから、落下等の衝撃が加わったときに、発熱体充填容器の鍔部と外装容器の開口部の縁部との間に大きな力が加わりやすく、わずかな衝撃でも発熱体充填容器がずれたり外れやすい問題がある。両者間をしっかり取り付ければこれを防止することは可能ではあるが、このようにすると使用後の廃棄時に外装容器から発熱体充填容器を外しにくくなる問題がある。
【０００５】
本発明は、上記従来の問題点に鑑みてなされたもので、落下等の衝撃によってもずれたり外れないよう発熱体充填容器をしっかり保持できる外装容器とすると共に、使用後の廃棄時には容易に発熱体充填容器を取り外して、リサイクル利用が可能な外装容器と分別廃棄できるようにすることを目的とする。
【０００６】
【課題を解決するための手段】
このために請求項１の発明では、図１及び図２に示されるように、燻煙剤が充填された発熱体充填容器１を、周囲に空隙をあけて収容保持する外装容器３において、発熱体充填容器１の底面下に空隙をあけて当該発熱体充填容器１の下部を支持する支持部４を有し、有底筒状をなす収納容器部３ａと、中央部に開口部２を有し、発熱体充填容器１の上部周縁を係止して支持部４との間に発熱体充填容器１を挟持する係止部５を開口部２付近に有する上蓋部３ｂとから構成されていて、収納容器部３ａと上蓋部３ｂは相互に着脱可能で、しかも上蓋部３ｂを外した収納容器部３ａの上部から発熱体充填容器１を収納容器部内３ａに挿入可能である発熱体充填容器１の分離型外装容器３としているものである。
【０００７】
また、請求項２の発明では、図７及び図８に示されるように、燻煙剤が充填された発熱体充填容器１を、周囲に空隙をあけて収容保持する外装容器３において、発熱体充填容器１の下部を支持する支持部４を有する底蓋部３ｄと、上端が開口部２となった筒状をなし、発熱体充填容器１の上部を係止して支持部４との間に発熱体充填容器１を挟持する係止部５を開口部２付近に有する胴部３ｃとから構成されていて、底蓋部３ｄと胴部３ｃが相互に着脱可能で、しかも底蓋部３ｄを外した胴部３ｃの下部から発熱体充填容器１を胴部３ｃ内に挿入可能である発熱体充填容器１の分離型外装容器３としているものである。
【０００８】
【発明の実施の形態】
図１及び図２に基づいて本発明の第１の例を説明する。
【０００９】
図中３が本発明に係る外装容器で、相互に着脱可能な収納容器部３ａと上蓋部３ｂとから構成されており、図２に示されるように発熱体充填容器１を収納保持するものである。
【００１０】
収納容器部３ａは、有底の筒状をなすもので、その底部には、環状の突出部として支持部４が形成されている。発熱体充填容器１は、図２に示されるように、その底面が支持部４の頂面に当接して、支持部４上に支持されるものである。また、収納容器部３ａは、発熱体充填容器１を、周囲に空隙を開けて収納できる大きさとなっている。
【００１１】
上蓋部３ｂは、上記収納容器部３ａの上端側に着脱可能に嵌め込まれたもので、中央部には開口部２が形成されている。開口部２は、例えば燻煙剤が発熱体充填容器１に充填されている場合に、その成分の蒸散口となる発熱体充填容器１の上面を外部に露出させるものである。また、上蓋部３ｂの開口部２の周縁には、断面鉤形の係止部５が設けられている。この係止部５は、図２に明示されるように、発熱体充填容器１の上部周縁に引っ掛かって、発熱体充填容器１を開口部２の位置に定位させると共に、発熱体充填容器１を上から押さえ付けるものである。
【００１２】
本外装容器３への発熱体充填容器１の収納は、先ず収納容器部３ａから上蓋部３ｂを外し、収納容器部３ａの上部側から発熱体充填容器１を収納容器部３ａ内に挿入して、支持部４の上に置く。この状態で発熱体充填容器１の位置を整えながら収納容器部３ａに上蓋部３ｂを嵌め込むと、収納容器部３ａに上蓋部３ｂが嵌め込まれると同時に、発熱体充填容器１の上部周縁に係止部５が引っ掛かって、発熱体充填容器１を上部から押さえ付ける。従って、発熱体充填容器１は、収納容器部３ａの支持部４と上蓋部３ｂの係止部５との間に挟み付けられるようにして収納保持されることになる。また、使用後には、収納容器部３ａから上蓋部３ｂを取り外すだけで、発熱体充填容器１を取り出すことができ、容易に発熱体充填容器１と外装容器３を分別廃棄することができる。
【００１３】
図３及び図４に基づいて本発明の第２の例を説明する。
【００１４】
本第２の例においては、収納容器部３ａ内の外周寄りに、周方向ほぼ等間隔に４箇所、底部から側壁面に沿って支持板６が立ち上げられている。また、この支持板６途中の段部として、発熱体充填容器１の下部を支持する支持部４が設けられている。つまり、発熱体充填容器１は、この段部として形成された支持部４にその底部の周縁を掛けて収納されるものとなっている。本第２の例は、この支持部４以外の点では前記第１の例と同様である。
【００１５】
上記のような支持部４とすると、発熱体充填容器１の底面と側面を同時に支持することができ、発熱体充填容器１の底部側をより安定した状態で支持することができる。これらの支持部４の一部又は全部は、発熱体充填容器１へのくい込みを防止するために、図５に示されるように左右に広がりを持ち、発熱体充填容器１との接触面積を広げた形状とすることが好ましい。
【００１６】
図６は、図１及び図２で説明した外装容器３に発熱体充填容器１を収納保持する場合の場合の他の例を示すもので、発熱体充填容器１は、容器本体１ａの外周に断熱筒１ｂが嵌め込まれたものとなっている。この断熱筒１ｂは、通常厚紙で構成されたもので、容器本体１ａからの熱の放出を押えるものである。特に本例においては、係止部５が断熱筒１ｂの上面を係止するものとなっている。このようにすると、使用時の発熱によって係止部５が損傷しにくくなる。
【００１７】
一方、断熱筒１ｂの下端は容器本体１ａの下面より下方に突出しており、容器本体１ａは支持部４の上に載置された状態となっていると共に、下方に突出した断熱筒１ｂ内に支持部４が嵌め込まれている。従って、発熱体充填容器１の下部が、断熱筒１ｂの下部と支持部４との嵌め合わせによってしっかり保持され、安定した収納状態が得られる。但し、断熱筒１ｂの下端を容器本体１ａの下面と揃えておき、実質的に図２と同様の保持状態とすることもできる。
【００１８】
図７は、図３及び図４で説明した外装容器３に発熱体充填容器１を収納保持する場合の他の例を示すもので、発熱体充填容器１が、容器本体１ａの外周に断熱筒１ｂを嵌め込んだものとなっているのは図６の例と同様で、係止部５が断熱筒１ｂの上面を係止するものである点も図６の例と同様である。
【００１９】
本例における断熱筒１ｂの下端は、容器本体１ａの下面とほぼ揃えられており、この容器本体１ａと断熱筒１ｂとが一体となった発熱体充填容器１の底部周縁部が、支持板６の途中の段部として設けられた支持部４に支持されている。この場合、断熱筒１ｂの下端を容器本体１ａの底面より若干下方に突出させておくことで、使用時の発熱による支持部４の損傷を防止しやすくなる。また、支持部４を図５で説明した形状とすることも好ましい。
【００２０】
図８及び図９は本発明の第３の例を示すもので、本例の外装容器は、相互に着脱可能な胴部３ｃと底蓋部３ｄとから構成されている。
【００２１】
胴部３ｃは、発熱体充填容器１を、周囲に空隙を開けて収納できる大きさの筒形をなすもので、下端側に底蓋部３ｄが嵌め込まれ、上端側が開口部２となっている。この開口部２の周縁には、やはり断面鉤形の係止部５が形成されている。また、底蓋部３ｄは、上記胴部３ｃの下端側に着脱可能に嵌め込まれたもので、環状の突出部として支持部４が形成されている。本例における係止部５及び支持部４の役割は前述の第１及び第２の例におけるものと同様である。
【００２２】
本外装容器３への発熱体充填容器１の収納は、先ず胴部３ｃから底蓋部３ｄを外し、胴部３ｃの下端側から発熱体充填容器１を収納容器部３ａ内に挿入して、発熱体充填容器１の上部周縁部を係止部５に掛ける。この状態で胴部３ｃの下端に底蓋部３ｄを嵌め込むと、上部周縁部が係止部５に係止された発熱体充填容器１は、底面が支持部４で押され、胴部３ｃの係止部５と底蓋部３ｄの支持部４との間に挟み付けられるようにして収納保持されることになる。また、使用後には、胴部３ｃから底蓋部３ｄを取り外すだけで、発熱体充填容器１を取り出すことができ、容易に発熱体充填容器１と外装容器３を分別廃棄することができる。
【００２３】
図１０及び図１１は本発明の第４の例を示すもので、上記第３の例と同様に、上端側に鉤形の係止部５を有する胴部３ｃと、胴部３ｃの下端側に嵌め込まれた底蓋部３ｄとから構成されているが、前述の第２の例と同様に、底蓋部３ｄの外周寄りに、周方向ほぼ等間隔に４箇所、側壁面に沿って支持板６が立ち上げられている。この支持板６は、底蓋部３ｄと一体で、胴部３ｃとは別体となったもので、この支持板６途中の段部として、発熱体充填容器１の下部を支持する支持部４が設けられている。つまり、発熱体充填容器１は、この段部として形成された支持部４にその底部の周縁を掛けて収納されるものとなっている。本第４の例は、この支持部４以外の点では上記第３の例と同様である。
【００２４】
上記のような支持部４とすると、発熱体充填容器１の底面と側面を同時に支持することができ、発熱体充填容器１の底部側をより安定した状態で支持することができる。また、支持部４を図５で説明した形状とすることも好ましい。
【００２５】
尚、容器本体１ａと断熱筒１ｂとから構成された発熱体充填容器１については、第３の例に示される外装容器で図６に示されるような収納状態としたり、第４の例に示される外装容器で図７に示されるような収納状態とすることができる。
【００２６】
次に、図１２及び図１３に基づいて本発明の第５の例を説明する。
【００２７】
上述の第１の例〜第４の例は、例えばポリプロピレン等の合成樹脂成形品として外装容器３を構成した場合の例で、本第５の例は、特に第１の例の変形例で、その収納容器部３ａを、例えば鉄、アルミニウム等の金属の薄板で構成した場合を示すものである。尚、本第５の例における上蓋部３ｂは、収納容器部３ａと同様に金属製としてもよいが、一般的に合成樹脂の成形品とした方が製造容易である。
【００２８】
本第５の例は、上記のように材質が相違する他、基本的には前述の第１の例と同様で、底部から突出した環状の支持部４を有する有底筒状の収納容器部３ａと、中央の開口部２の周縁に形成された断面鉤形の係止部５を有する上蓋部３ｂとから構成されている。また、発熱体充填容器１は、図１３に明示されるように、その底面が支持部４上に載置され、その上部周縁部が係止部５に押えられて、支持部４と係止部５との間に挟持された状態で収納保持されるものである。
【００２９】
本第５の例における支持部４は、収納容器部３ａの底部を構成する金属板をプレス加工することで形成されているもので、材質が金属であることから、直接発熱体充填容器１の底面が当接していても損傷されにくい利点がある。
【００３０】
更に、図１４及び図１５に基づいて本発明の第６の例を説明する。
【００３１】
本第６の例も、上記第５の例と同様に、収納容器部３ａは金属製となっている。この第６の例は、収納容器部３ａが金属製となっている点以外はほぼ前述の第２の例に相当するもので、収納容器部３ａの底部から立ち上げられた環状の突出部の内周側中間部分に、段部として支持部４が形成されている。
【００３２】
本第６の例においては、図１５に明示されるように、発熱体充填容器１の底部周縁部が、収納容器部３ａの環状の突出部内に嵌め込まれるようにして支持部４に支持されることになる。また、発熱体充填容器１の上部周縁部が係止部５で押さえ付けられるのは他の例の場合と同様である。
【００３３】
このようにすると、段部である支持部４によって、発熱体充填容器１の底面と側面を同時に支持することができ、上述の第３の例に比して、発熱体充填容器１の底部側をより安定した状態で支持することができる。
【００３４】
図１６は、図１２及び図１３で説明した外装容器３に発熱体充填容器１を収納保持する場合の場合の他の例を示すものである。本例における発熱体充填容器１は、図６でも説明したように、容器本体１ａの外周に断熱筒１ｂが嵌め込まれたものとなっており、係止部５が断熱筒１ｂの上面を係止するものとなっている。このようにすると、使用時の発熱によって係止部５が損傷しにくくなる。
【００３５】
一方、断熱筒１ｂの下端は容器本体１ａの下面より下方に突出しており、下方に突出した断熱筒１ｂ内に支持部４が嵌め込まれている。従って、発熱体充填容器１の下部が、断熱筒１ｂの下部と支持部４との嵌め合わせによってしっかり保持され、安定した収納状態が得られる。
【００３６】
ところで、前述したように、図１２及び図１３で説明した第５の例における支持部４は、収納容器部３ａの底部を構成する金属板をプレス加工することで形成されているもので、加工上、突出高さに制限がある。支持部４の突出高さが低い場合、容器本体１ａの熱が伝わって収納容器部３ａの底面温度が高くなりやすい。そこで、図１６に明示されるように、容器本体１ａの下面が支持部４の底面に接触しないようにしておくことが好ましい。即ち、断熱筒１ｂを支持部４の突出高さよりも大きく突出させ、支持部４が容器本体１ａの底面に達しないようにしておくことが好ましい。但し、発熱体充填容器１の発熱量や、支持部４の突出高さによっては、断熱筒１ｂの下端を容器本体１ａの下面と揃えておき、実質的に図９と同様の保持状態とすることもできる。
【００３７】
尚、容器本体１ａが断熱筒１ｂに対してずれ落ちないよう、容器本体１ａと断熱筒１ｂ間は接着しておくことが好ましい。
【００３８】
図１７は、図１４及び図１５で説明した外装容器３に発熱体充填容器１を収納保持する場合の他の例を示すもので、発熱体充填容器１が、容器本体１ａの外周に断熱筒１ｂを嵌め込んだもので、断熱筒１ｂの下部が容器本体１ａの底面より下方に突出しているものとなっているのは図１６の例と同様で、係止部５が断熱筒１ｂの上面を係止するものである点も図１６の例と同様である。
【００３９】
本例における断熱筒１ｂの下端は、収納容器部３ａの底部から突出している環状の突出部内に嵌め込まれるようにして、その内周側に段部として設けられた支持部４に支持されている。また、図１６の例と同様に、容器本体１ａの下面は支持部４から離されている。このようにすると、安定した保持状態が得られると共に、発熱体充填容器１からの熱を収納容器部３ａの底面に伝わりにくくすることができる。但し、発熱体充填容器１の発熱量や、収納容器部３ａの底部からの環状突出部の突出高さによっては、断熱筒１ｂの下端を容器本体１ａの下面と揃えておき、実質的に図１５と同様の保持状態とすることもできる。
【００４０】
【発明の効果】
本発明は、以上説明した通りのものであり、次の効果を奏するものである。
【００４１】
（１）発熱体充填容器１の装着を妨げることなく、使用後に発熱体充填容器１を容易に外装容器３から分離することができるので、リサイクル利用しにくい発熱体充填容器１と、リサイクル利用が可能な外装容器１とを簡単に分別廃棄することができ、廃棄物のリサイクルを助長することができる。
【００４２】
（２）発熱体充填容器１は、支持部４と係止部５との間に挟持された安定した状態で収納保持されるので、輸送時に落下等による衝撃が加わっても、発熱体充填容器１がずれたり脱落することを防止できる。
【００４３】
（３）合成樹脂又は金属により低コストで製造できる。
【図面の簡単な説明】
【図１】本発明に係る外装容器の第１の例を示す断面図である。
【図２】図１に示される外装容器に発熱体充填容器を収納保持させた状態の断面図である。
【図３】本発明に係る外装容器の第２の例を示す断面図である。
【図４】図３に示される外装容器に発熱体充填容器を収納保持させた状態の断面図である。
【図５】支持部の他の例を示す斜視図である。
【図６】図１に示される外装容器に、容器本体の外周に断熱筒を嵌め込んだ発熱体充填容器を収納保持させた状態の断面図である。
【図７】図３に示される外装容器に、容器本体の外周に断熱筒を嵌め込んだ発熱体充填容器を収納保持させた状態の断面図である。
【図８】本発明に係る外装容器の第３の例を示す断面図である。
【図９】図８に示される外装容器に発熱体充填容器を収納保持させた状態の断面図である。
【図１０】本発明に係る外装容器の第４の例を示す断面図である。
【図１１】図１０に示される外装容器に発熱体充填容器を収納保持させた状態の断面図である。
【図１２】本発明に係る外装容器の第５の例を示す断面図である。
【図１３】図１２に示される外装容器に発熱体充填容器を収納保持させた状態の断面図である。
【図１４】本発明に係る外装容器の第６の例を示す断面図である。
【図１５】図１４に示される外装容器に発熱体充填容器を収納保持させた状態の断面図である。
【図１６】図１２に示される外装容器に、本体部の外周に断熱筒を嵌め込んだ発熱体充填容器を収納保持させた状態の断面図である。
【図１７】図１４に示される外装容器に、本体部の外周に断熱筒を嵌め込んだ発熱体充填容器を収納保持させた状態の断面図である。
【符号の説明】
１    発熱体充填容器
１ａ  容器本体
１ｂ  断熱筒
２    開口部
３    外装容器
３ａ  収納容器部
３ｂ  上蓋部
３ｃ  胴部
３ｄ  底蓋部
４    支持部
５    係止部
６    支持板
【図１】
0003545593.tif 000002
【図２】
0003545593.tif 000003
【図３】
0003545593.tif 000004
【図４】
0003545593.tif 000005
【図５】
0003545593.tif 000006
【図６】
0003545593.tif 000007
【図７】
0003545593.tif 000008
【図８】
0003545593.tif 000009
【図９】
0003545593.tif 000010
【図１０】
0003545593.tif 000011
【図１１】
0003545593.tif 000012
【図１２】
0003545593.tif 000013
【図１３】
0003545593.tif 000014
【図１４】
0003545593.tif 000015
【図１５】
0003545593.tif 000016
【図１６】
0003545593.tif 000017
【図１７】
0003545593.tif 000018